(57)【要約】【課題】一つの記録媒体を複数人で共用する場合に、当該記録媒体に記録された自己のファイルを他人がアクセスできないようにする。【解決手段】画像記録装置としてのデジタルカメラは、複数のパーティションに分割された記録媒体９と、使用するパーティションとして複数のパーティションの中から一つのパーティションを選択する処理や，選択されたパーティションに割り付けられたユーザであるか否かを判定する処理や，選択されたパーティションに割り付けられたユーザであると判定されたときに、使用するパーティションとして、その選択されたパーティションを設定する処理などを行うシスコン５等を備える。【選択図】図１
2006221288.tif 000002
【特許請求の範囲】
【請求項１】
複数のパーティションに分割された記録媒体と、
使用するパーティションとして、前記複数のパーティションの中から一つのパーティションを選択する第１の選択手段と、
前記第１の選択手段により選択されたパーティションに割り付けられたユーザであるか否かを判定する第１の判定手段と、
前記第１の選択手段により選択されたパーティションに割り付けられたユーザであると前記第１の判定手段により判定されたときは、使用するパーティションとして、前記第１の選択手段により選択されたパーティションを設定する設定手段と、
を有することを特徴とする画像記録装置。
【請求項２】
前記設定手段により設定されたパーティションを、画像データの記録先とする、
ことを特徴とする請求項１記載の画像記録装置。
【請求項３】
前記記録媒体に記録された画像データを再生する再生手段を更に有し、
前記再生手段は、前記設定手段により設定されたパーティションを、画像データの再生元とする、
ことを特徴とする請求項１又は２記載の画像記録装置。
【請求項４】
前記複数のパーティションにおけるユーザに割り付けられたパーティションの各々は、パスワードが記述されたパスワードファイルが記録されており、
前記第１の判定手段は、入力されたパスワードと、前記第１の選択手段により選択されたパーティションに記録されているパスワードファイルに記述されたパスワードとに基づいて、前記判定を行う、
ことを特徴とする請求項１乃至３の何れか一項記載の画像記録装置。
【請求項５】
前記複数のパーティションの中から、コピー先又は移動先パーティションとして、一つのパーティションを選択する第２の選択手段と、
入力されたパスワードと、前記第２の選択手段により選択されたパーティションに記録されているパスワードファイルに記述されたパスワードとが一致するか否かを判定する第２の判定手段と、
前記第２の判定手段により一致すると判定されたときに、前記設定手段により設定されたパーティションに記録された画像データを、前記第２の選択手段により選択されたパーティションへコピー又は移動する手段と、
を更に有することを特徴とする請求項１乃至４の何れか一項記載の画像記録装置。
【請求項６】
前記パスワードファイルに記述されたパスワードを変更するパスワード変更手段を更に有する、
ことを特徴とする請求項４又は５記載の画像記録装置。
【請求項７】
前記パスワードは、当該画像記録装置に設けられているボタン操作の組み合わせである、
ことを特徴とする請求項４乃至６の何れか一項記載の画像記録装置。
【請求項８】
前記複数のパーティションの各々には、当該画像記録装置の装置設定に係るパラメータが記述された装置設定ファイルが記録されており、
前記設定手段により設定されたパーティションに記録されている前記装置設定ファイルに記述された装置設定に係るパラメータに従って、当該画像記録装置の装置設定を行う、
ことを特徴とする請求項１乃至７の何れか一項記載の画像記録装置。
【請求項９】
前記装置設定ファイルの記述内容を変更する装置設定ファイル更新手段を更に有し、
前記装置設定ファイル更新手段は、当該画像記録装置の電源がオフされたときは、使用するパーティションとして当該電源がオフされる直前に設定されていたパーティションに記録されている前記装置設定ファイルの記述内容を、当該電源がオフされる直前に当該画像記録装置に設定されていた装置設定に係るパラメータへ変更し、
又は、前記設定手段によるパーティションの設定により、使用するパーティションが変更されたときは、使用するパーティションとして当該変更直前に設定されていたパーティションに記録されている前記装置設定ファイルの記述内容を、当該変更直前に当該画像記録装置に設定されていた装置設定に係るパラメータへ変更する、
ことを特徴とする請求項８記載の画像記録装置。
【請求項１０】
当該画像記録装置と外部装置とが通信可能に接続されたときに、前記記録媒体における前記外部装置によりアクセスが行われるパーティションは、前記設定手段により設定されたパーティションである、
ことを特徴とする請求項１乃至９の何れか一項記載の画像記録装置。
【発明の詳細な説明】
【技術分野】
【０００１】
本発明は、画像データを記録媒体に記録する画像記録装置に関する。
【背景技術】
【０００２】
従来、画像データを記録媒体に記録する画像記録装置として、例えばデジタルカメラがある。近年では、このデジタルカメラに搭載される記録媒体の大容量化に伴って、一つの記録媒体を使用して、一台のデジタルカメラを例えば家族や友人同士など複数人で共用することが多くなってきた。この場合、デジタルカメラが記録先フォルダを選択可能な機能を備えているときは、この機能を利用して各ユーザが撮影前に記録先フォルダを選択しておけば、記録媒体に記録された画像データをユーザ別に分類することができる。
【０００３】
一方、特許文献１には、ストレージに仮想パーティションを設定し、仮想パーティションをユーザを登録したグループに割り当て、グループ単位で利用条件が設定された仮想パーティションに対し、ログインした複数ユーザによる仮想パーティションの排他アクセス制御を行うようにしたサーバシステムが記載されている。
【特許文献１】特開２００３−２８８２３９号公報
【発明の開示】
【発明が解決しようとする課題】
【０００４】
ところで、上記デジタルカメラにおいては、ユーザ別に分類された画像データを誰もが再生、消去、コピー等が可能となることから、あるユーザが、例えば他のユーザに見せたくない画像データや勝手に消去されたくない画像データ等のように、他のユーザにアクセスして欲しくない画像データがあったとしても、それを防止することができなかった。
【０００５】
この解決策として、例えば、このデジタルカメラに、上記特許文献１に記載されるアクセス制御を適用することも考えられる。しかしながら、このアクセス制御は、ネットワーク上のファイル共有システムに用いることは好適かもしれないが、上記デジタルカメラのような画像記録装置に用いることは構成が複雑になりすぎて好適とは言えない。
【０００６】
本発明は、上記実情に鑑み、例えばデジタルカメラのような画像記録装置において、一つの記録媒体を複数人で共用する場合に、当該記録媒体に記録された自己のファイルを他人がアクセスできないようにするのに好適な画像記録装置を提供することを目的とする。
【課題を解決するための手段】
【０００７】
上記目的を達成するため、本発明の第１の態様に係る画像記録装置は、複数のパーティションに分割された記録媒体と、使用するパーティションとして、前記複数のパーティションの中から一つのパーティションを選択する第１の選択手段と、前記第１の選択手段により選択されたパーティションに割り付けられたユーザであるか否かを判定する第１の判定手段と、前記第１の選択手段により選択されたパーティションに割り付けられたユーザであると前記第１の判定手段により判定されたときは、使用するパーティションとして、前記第１の選択手段により選択されたパーティションを設定する設定手段と、を有する。
【０００８】
また、本発明の第２の態様に係る画像記録装置は、上記第１の態様において、  前記設定手段により設定されたパーティションを、画像データの記録先とする。
また、本発明の第３の態様に係る画像記録装置は、上記第１又は２の態様において、前記記録媒体に記録された画像データを再生する再生手段を更に有し、前記再生手段は、前記設定手段により設定されたパーティションを、画像データの再生元とする。
【０００９】
また、本発明の第４の態様に係る画像記録装置は、上記第１乃至３の何れか一つの態様において、前記複数のパーティションにおけるユーザに割り付けられたパーティションの各々は、パスワードが記述されたパスワードファイルが記録されており、前記第１の判定手段は、入力されたパスワードと、前記第１の選択手段により選択されたパーティションに記録されているパスワードファイルに記述されたパスワードとに基づいて、前記判定を行う。
【００１０】
また、本発明の第５の態様に係る画像記録装置は、上記第１乃至４の何れか一つの態様において、前記複数のパーティションの中から、コピー先又は移動先パーティションとして、一つのパーティションを選択する第２の選択手段と、  入力されたパスワードと、前記第２の選択手段により選択されたパーティションに記録されているパスワードファイルに記述されたパスワードとが一致するか否かを判定する第２の判定手段と、前記第２の判定手段により一致すると判定されたときに、前記設定手段により設定されたパーティションに記録された画像データを、前記第２の選択手段により選択されたパーティションへコピー又は移動する手段と、を更に有する。
【００１１】
また、本発明の第６の態様に係る画像記録装置は、上記第４又は５の態様において、前記パスワードファイルに記述されたパスワードを変更するパスワード変更手段、を更に有する。
【００１２】
また、本発明の第７の態様に係る画像記録装置は、上記第４乃至６の何れか一つの態様において、前記パスワードは、当該画像記録装置に設けられているボタン操作の組み合わせである。
【００１３】
また、本発明の第８の態様に係る画像記録装置は、上記第１乃至７の何れか一つの態様において、前記複数のパーティションの各々には、当該画像記録装置の装置設定に係るパラメータが記述された装置設定ファイルが記録されており、前記設定手段により設定されたパーティションに記録されている前記装置設定ファイルに記述された装置設定に係るパラメータに従って、当該画像記録装置の装置設定を行う。
【００１４】
また、本発明の第９の態様に係る画像記録装置は、上記第８の態様において、  前記装置設定ファイルの記述内容を変更する装置設定ファイル更新手段を更に有し、前記装置設定ファイル更新手段は、当該画像記録装置の電源がオフされたときは、使用するパーティションとして当該電源がオフされる直前に設定されていたパーティションに記録されている前記装置設定ファイルの記述内容を、当該電源がオフされる直前に当該画像記録装置に設定されていた装置設定に係るパラメータへ変更し、又は、前記設定手段によるパーティションの設定により、使用するパーティションが変更されたときは、使用するパーティションとして当該変更直前に設定されていたパーティションに記録されている前記装置設定ファイルの記述内容を、当該変更直前に当該画像記録装置に設定されていた装置設定に係るパラメータへ変更する。
【００１５】
また、本発明の第１０の態様に係る画像記録装置は、上記第１乃至９の何れか一つの態様において、当該画像記録装置と外部装置とが通信可能に接続されたときに、前記記録媒体における前記外部装置によりアクセスが行われるパーティションは、前記設定手段により設定されたパーティションである。
【発明の効果】
【００１６】
本発明によれば、例えばデジタルカメラのような画像記録装置において、一つの記録媒体を複数人で共用する場合に、当該記録媒体に記録された自己のファイルを他人がアクセスできないようにすることが可能になる。
【発明を実施するための最良の形態】
【００１７】
以下、本発明の実施の形態を図面を参照しながら説明する。
図１は、本発明の一実施例に係る画像記録装置として説明する、デジタルカメラの主要構成を示す図である。尚、本実施例に係るデジタルカメラは、ＤＣＦ（ Design rule for Camera File system ）に準拠して構成されているものとし、またファイルシステムとしてＦＡＴファイルシステムを採用しているものとする。
【００１８】
同図において、このデジタルカメラは、撮影時には、撮影レンズ系１によって結像された被写体像が、撮像素子２により電気信号に光電変換され、更に撮像回路３により所定の撮像処理が施された後、Ａ／Ｄ部４によりＡ／Ｄ変換され、そのデジタルデータ（画像データ）が内蔵ＲＡＭ（ＤＲＡＭ）１３に一時格納されるようになっている。そして、この一時格納された画像データが、システムコントローラ（以下単に「シスコン」という）５により所定の画像処理が施され、更に画像処理部６により所定の圧縮処理が施され、内蔵型の大容量の記録媒体（例えばハードディスク等）９に画像ファイルとして記録されるようになっている。
【００１９】
また、再生時には、この記録媒体９に記録された画像データが読み出され、画像処理部６により所定の伸長処理が施された後、シスコン５により所定の画像処理が施されてＶＲＡＭ１０に格納され、ＬＣＤドライバ１１によってその画像が内蔵ＬＣＤ１２に表示されるようになっている。
【００２０】
また、同図において、内蔵ＲＡＭ１３は、Ａ／Ｄ部４によるＡ／Ｄ変換後の画像データの一時格納用として使用される他、画像処理部６による処理中の画像データの一時格納用、及び後述のパスワードファイルやカメラパラメータ設定ファイル（装置設定ファイル）の更新等の処理を含むシスコン５による制御処理の実行のためのワークエリア等としても使用される。
【００２１】
シスコン５は、ＣＰＵ（中央演算処理装置）を備えて構成され、内蔵ＲＯＭ１４に記憶されているカメラプログラムを読み出し実行することによって、当該デジタルカメラ全体の動作を制御する。
【００２２】
操作部１５は、カーソルの移動指示等を行うための上下左右ボタン，撮影指示を行うためのシャッターボタン，メニュー表示や決定指示を行うためのＯＫボタン，再生指示を行うための再生ボタン，ズームテレ指示を行うためのズームテレボタン，ズームワイド指示を行うためのズームワイドボタン、電源のオンオフ指示を行うためのパワーボタン等を備えて構成され、受け付けた指示をシスコン５へ通知する。尚、詳しくは後述するが、これらのボタンの操作は、パスワードとしても利用される。
【００２３】
外部Ｉ／Ｆ１６は、ＰＣ（パーソナルコンピュータ）等の外部装置との間でＵＳＢケーブルを介してデータの送受を可能にするものである。
次に、上記デジタルカメラの動作について説明する。
【００２４】
このデジタルカメラでは、複数のユーザによって共用されることを前提に、各ユーザが記録媒体９に記録された他人の画像データの再生，消去，コピー等をできないようにすることが可能になっている。詳しくは、記録媒体９を予め複数のパーティションに分割しておき、パスワードを用いて各ユーザに使用可能なパーティションを割り当てることにより、各ユーザが他人に割り当てられているパーティションに記録されている画像データに対しアクセスできないようになっている。
【００２５】
以下、これに関する動作について詳細に説明する。
まず、その説明の前に、本実施例で使用される、複数のパーティションに分割された記録媒体９と、その記録媒体９に記録されているパスワードファイル及びカメラパラメータ設定ファイルを、図２乃至図４を用いて説明する。
【００２６】
図２は、上記記録媒体９のメモリ構造の一例を示す図である。
尚、本実施例では、記録媒体９が４つのパーティションに分割されているものとする。また、このパーティションの分割は、予め工場出荷時などに行われているものとする。
【００２７】
同図に示したように、記録媒体９は、マスターブートレコード（以下「ＭＢＲ」と言う）９ａと、４つに分割されたパーティション９ｂ，９ｃ，９ｄ，９ｅとから成っている。尚、パーティション９ｂ乃至９ｅは、「パーティション１」，「パーティション２」，「パーティション３」，「パーティション４」とも言う。
【００２８】
ＭＢＲ９ａには、９ｂ乃至９ｅの各パーティションについて、先頭セクタとその先頭セクタからのセクタ量に関する情報が記録されており、この情報を参照することにより、特定のパーティションへのアクセスが可能になっている。
【００２９】
また、パーティション９ｂ乃至９ｅにおいて、本実施例では、パーティション９ｂ乃至９ｄが、「ユーザ１」，「ユーザ２」，「ユーザ３」に割り当てられ、パーティション９ｅが、誰もが使用可能な「共用」に割り当てられているものとする。
【００３０】
パーティション９ｂ乃至９ｄのそれぞれには、同図に示したように、「ＤＣＩＭ」フォルダと同階層に、パスワードファイル（同図の「ＰＡＳＳＷＯＲＤ」）とカメラパラメータ設定ファイル（同図の「ＳＥＴＴＩＮＧ」）とが予め記録されている。但し、パーティション９ｅには、「ＤＣＩＭ」フォルダと同階層に、カメラパラメータ設定ファイルが予め記録されているものの、パスワードファイルは、当該パーティション９ｅが「共用」であることから、記録されていない。
【００３１】
パスワードファイルは、当該パスワードファイルが記録されているパーティションの使用を可能にするか否かを判定するためのパスワードが記述されるファイルである。これにより、入力されたパスワードが、パーティションに記録されているパスワードファイルに記述されたパスワードと一致する場合に限り、そのパーティションの使用が可能になるようになっている。
【００３２】
カメラパラメータ設定ファイルは、当該カメラパラメータ設定ファイルが記録されているパーティションが最後に使用された時のカメラパラメータ（撮影モードや再生モード時のカメラパラメータ等）が記述されるファイルである。これにより、例えば、「ユーザ１」によりパーティション９ｂが使用された後に「ユーザ２」によりパーティション９ｃが使用され、その「ユーザ２」の使用中にカメラパラメータの設定が変更されたとしても、その後、再び「ユーザ１」によりパーティション９ｂが使用されるときには、パーティション９ｂに記録されているカメラパラメータ設定ファイルの記述内容に従って当該デジタルカメラの設定が自動的に行われ、「ユーザ１」が前回に使用したカメラパラメータの設定が自動的に行われるようになっている。
【００３３】
尚、パスワードファイル及びカメラパラメータ設定ファイルには、予め工場出荷時などに、デフォルトのパスワード及びデフォルトのカメラパラメータが記述されているものとする。また、９ｂ乃至９ｅの各パーティションにおいて、画像ファイル（画像データ）は、上述のＤＣＦに準拠して記録されるものである。
【００３４】
図３は、上記パスワードファイルの記述内容の一例を示す図である。
本実施例では、上述したように、ボタン操作の組み合わせをパスワードとして使用するものである。詳しくは、上下左右ボタン，シャッターボタン，ＯＫボタン，再生ボタン，ズームテレボタン，及びズームワイドボタンのうち、４つのボタン操作をパスワードとして使用し、そのボタン操作がパスワードファイルに記述されるものである。
【００３５】
同図の例では、パスワードファイルの記述内容として、「ＵＰ」，「ＯＫ」，「ＴＥＬＥ」，「ＷＩＤＥ」が記述されている。この場合は、上ボタン（「ＵＰ」）→ＯＫボタン（「ＯＫ」）→ズームテレボタン（「ＴＥＬＥ」）→ズームワイドボタン（「ＷＩＤＥ」）の順にボタン操作を行うことによって、当該パスワードファイルが記録されているパーティションの使用が可能になる。
【００３６】
図４は、上記カメラパラメータ設定ファイルの記述内容の一例を示す図である。
同図の例では、カメラパラメータとして、露出モード（マニュアル（Ｍ），絞り優先（Ａ），シャッター優先（Ｓ），マニュアル（Ｍ）の何れかを設定可能）がマニュアル（「ＭＯＤＥ：Ｍ」），シャッタースピードが１／１００（「ＳＨＵＴＴＥＲ：１／１００」），絞り（Ｆ値）が５．０（「ＦＮＵＭＢＥＲ：５．０」），ＩＳＯ感度が１００（「ＩＳＯ：１００」），フラッシュモードがオート（「ＦＬＡＳＨ：ＡＵＴＯ」），画質（ＳＨＱ，ＨＱ，ＳＱ１，ＳＱ２の何れかを設定可能）がＳＱ２（「ＱＵＡＬＩＴＹ：ＳＱ２」）が記述されている。
【００３７】
尚、同図では、説明の便宜の為、撮影モード時のカメラパラメータしか示していないが、実際には再生モード時のカメラパラメータ（例えばインデックス再生等）なども記述される。
【００３８】
このカメラパラメータ設定ファイルの更新は、当該カメラの電源がＯＦＦされた時や、後述のパーティション選択動作により別のパーティションが選択された時に行われるものであり、その直前のカメラパラメータが当該ファイルに記述されるものである。
【００３９】
次に上述したデジタルカメラの動作について詳細に説明する。
図５は、このデジタルカメラの動作の一例を示すフローチャートである。
同図に示したように、本動作では、当該カメラの電源がオフしているときに（ステップ（以下単に「Ｓ」という）１）、パワーボタンが押下されると、詳しくは図６及び図７を用いて後述するが、記録・再生対象とするパーティション（使用するパーティション）を選択・設定するパーティション選択処理を行い（Ｓ２）、それが終了すると撮影モードへ移行する（Ｓ３）。この撮影モードでは、撮影時、画像データ（画像ファイル）は、上記Ｓ２又は後述のＳ１０のパーティション選択処理により設定されたパーティションに記録される。
【００４０】
撮影モード（Ｓ３）においては、ＯＫボタンが押下されると、詳しくは図８及び図９を用いて後述するが、撮影モード用メニュー画面を内蔵ＬＣＤ１２に表示し（Ｓ４）、その中からユーザにより選択された項目に応じて所定の処理を行う。すなわち、当該メニュー画面の中から「パスワード変更」が選択されたときにはパスワードの変更処理を行い（Ｓ５）、それが終了すると上記Ｓ４へ戻る。又は、「メモリ領域セレクト」が選択されたときには上記Ｓ２へ戻る。或いは「閉じる」が選択されたときには上記Ｓ３へ戻る。
【００４１】
また、撮影モード（Ｓ３）においては、パワーボタンが押下されると、上記Ｓ１へ戻り電源をオフする。
一方、撮影モード（Ｓ３）において再生（Ｄｉｓｐ）ボタンが押下されると、再生モードへ移行する（Ｓ６）。この再生モードでは、上記Ｓ２又は後述のＳ１０のパーティション選択処理により設定されたパーティションに記録されている画像データ（画像ファイル）の再生，消去，編集等が可能になる。
【００４２】
再生モード（Ｓ６）においては、ＯＫボタンが押下されると、上記Ｓ４と同様に、再生モード用メニュー画面を内蔵ＬＣＤ１２に表示し（Ｓ７）、その中からユーザにより選択された項目に応じて所定の処理を行う。すなわち、当該メニュー画面の中から「パスワード変更」が選択されたときには、上記Ｓ５と同様に、パスワードの変更処理を行い（Ｓ８）、それが終了する上記Ｓ７へ戻る。又は、「コピー」が選択されたときには、詳しくは図１０及び図１１を用いて後述するが、パーティション間での画像ファイルコピー処理を行い（Ｓ９）、それが終了すると上記Ｓ７へ戻る。或いは、「メモリ領域セレクト」が選択されたときには、上記Ｓ２と同様に、パーティション選択処理を行い（Ｓ１０）、それが終了すると上記Ｓ６へ戻る。若しくは、「閉じる」が選択されたときには上記Ｓ６へ戻る。
【００４３】
また、再生モード（Ｓ６）においては、再生（Ｄｉｓｐ）ボタンが押下されると再び上記Ｓ３の撮影モードに移行し、又は、パワーボタンが押下されると上記Ｓ１へ戻り電源をオフする。
【００４４】
一方、再生モード（Ｓ６）において外部Ｉ／Ｆ１６とＰＣ等の外部装置との間がＵＳＢケーブルによって接続されると、詳しくは図１２を用いて後述するＵＳＢケーブル通信モードに移行し（Ｓ１１）、その接続が断たれると上記Ｓ６へ戻る。
【００４５】
尚、本フローにおいて、撮影モード（Ｓ３）にてパワーボタンが押下された時、或いは、再生モード（Ｓ６）にてパワーボタンが押下された時、又は、パーティション選択処理（Ｓ２或いはＳ１０）により記録・再生対象とするパーティションの変更が行われた時は、上述したように、その直前に記録・再生対象として設定されていたパーティションに記録されているカメラパラメータ設定ファイルの記述内容が、その直前に当該デジタルカメラに設定されていたカメラパラメータに変更される。
【００４６】
次に、上記動作における処理を、図６乃至図１２を用いて詳細に説明する。
図６は、上記Ｓ２乃至Ｓ４の処理を、内蔵ＬＣＤ１２に表示される画面を用いて詳細に説明する図である。
【００４７】
同図に示したように、電源がオフしているときにパワーボタンが押下されると、当該デジタルカメラが起動して、上記Ｓ２のパーティション選択処理を開始し、まず、メモリ領域セレクト画面（「パーティション選択画面」ともいう）２１を内蔵ＬＣＤ１２に表示する。
【００４８】
当該画面２１には、選択可能なパーティションとして、各パーティションの割り当て先が表示される。本実施例では、図２に示したように、パーティション９ｂ（「パーティション１」）が「ユーザ１」に、パーティション９ｃ（「パーティション２」）が「ユーザ２」に、パーティション９ｄ（「パーティション３」）が「ユーザ３」に、及びパーティション９ｅ（「パーティション４」）が「共用」に割り当てられていることから、選択項目としては、「ユーザ１」、「ユーザ２」、「ユーザ３」、及び「共用」が表示される。
【００４９】
ここで、ユーザにより所望の項目が選択されると、選択された項目に応じた処理を行う。尚、項目の選択は、上下ボタンの押下によりカーソル２２を上下に移動させ所望の項目のところでＯＫボタンを押下することにより行われる（他の画面における項目の選択においても同じ）。
【００５０】
当該画面２１において、選択された項目が、「ユーザ１」、「ユーザ２」、「ユーザ３」の何れかであった場合には、パスワード入力画面２３を内蔵ＬＣＤ１２に表示する。
当該画面２３には、パスワード入力欄２３ａと、パスワードとして使用可能なボタン一覧２３ｂが表示される。パスワード入力欄２３ａには、パスワードとして１回のボタン操作が行われる毎に「＊」が表示される。また、ボタン一覧２３ｂには、パスワードとして使用可能なボタンの一覧が表示され、本実施例では、それとして、上下左右ボタン、シャッターボタン、ＯＫボタン、再生（Ｄｉｓｐ）ボタン、ズームテレボタン、ズームワイドボタンを示すマークが表示される。
【００５１】
当該画面２３において、ユーザにより、上記メモリ領域セレクト画面２１において選択された項目に係るパーティションを記録・再生対象とするためのパスワードがパスワード入力欄２３ａに入力されると（パスワードとしての４回のボタン操作が行われると）、このパスワードと、上記メモリ領域セレクト画面２１において選択された項目に係るパーティションに記録されているパスワードファイルに記述されたパスワードとが一致するか否かを判定し、それが一致する場合には、記録・再生対象とするパーティション（使用するパーティション）として、上記メモリ領域セレクト画面２１において選択された項目に係るパーティションを設定し、上記Ｓ３の撮影モードへ移行する。
【００５２】
例えば、ユーザが「ユーザ１」である場合には、上記メモリ領域セレクト画面２１において「ユーザ１」を選択し、続くパスワード入力画面２３において、自己のパスワード、すなわち、自己に割り当てられたパーティション９ｂを記録・再生対象とするためのパスワードを入力すると、記録・再生対象とするパーティションとしてパーティション９ｂが設定される。
【００５３】
一方、パスワードが不一致の場合、或いは、上記メモリ領域セレクト画面２１において選択された項目が「共用」であった場合には、記録・再生対象とするパーティション（使用するパーティション）として「共用」のパーティション９ｅを設定し、上記Ｓ３の撮影モードへ移行する。
【００５４】
尚、本実施例では、ユーザの記憶が曖昧だったためにパスワードが不一致となった場合等も考慮して、パスワードが不一致の場合には「共用」のパーティション９ｅを設定し、そのような場合に当該デジタルカメラの使用ができない、ということがないようにしている。
【００５５】
このようにして上記Ｓ３の撮影モードに移行すると、記録・再生対象とするパーティションとして設定されたパーティションに記録されているカメラパラメータ設定ファイルの記述内容に従って当該デジタルカメラの設定を行うと共に、その設定状態等を併せて表示したスルー画画面２４（２４ａ又は２４ｂ）を内蔵ＬＣＤ１２に表示し、待機状態となる。これにより、この待機状態において撮影が行われると、得られた画像データは、記録・再生対象とするパーティションとして設定されたパーティションに記録されることになる。
【００５６】
尚、スルー画画面２４には、当該デジタルカメラの設定状態のほか、記録・再生対象として設定されているパーティションとして、パーティションの割り当て先や、残り撮影可能コマ数等も表示される。
【００５７】
例えば、パスワードが一致したときに表示された同図のスルー画画面２４ａは、記録・再生対象としてパーティション９ｂが設定されているときの画面を示しており、当該デジタルカメラの設定状態として、露出モードが「Ｍ」，シャッタースピードが「１／１００」，Ｆ値が「５．０」，ＩＳＯ感度が「ＩＳＯ１００」，フラッシュ強制発光マーク２５，画質が「ＳＱ２」が表示されると共に、記録・再生対象として設定されているパーティション９ｂとして「ユーザ１」、パーティション９ｂにおける残り撮影可能コマ数として「６５」が表示されている。このときに撮影が行われると、得られた画像データは、パーティション９ｂに記録されることとなる。
【００５８】
また、パスワードが不一致のとき、或いは、上記メモリ領域セレクト画面２１において「共用」が選択されたときに表示された同図のスルー画画面２４ｂは、記録・再生対象としてパーティション９ｅが設定されているときの画面を示しており、当該デジタルカメラの設定状態として、露出モードが「Ｐ」，画質が「ＨＱ」が表示されると共に、記録・再生対象として設定されているパーティション９ｅとして「共用」、パーティション９ｅにおける残り撮影可能コマ数として「３０」が表示されている。このときに撮影が行われると、得られた画像データは、パーティション９ｅに記録されることとなる。
【００５９】
そして、この待機状態であるときに（スルー画画面２４が表示されているときに）、ＯＫボタンが押下されると、上記Ｓ４の処理を開始し、撮影モード用メニュー画面２７を内蔵ＬＣＤ１２に表示する。
【００６０】
当該画面２７には、選択可能な項目として、「メモリ領域セレクト」，「パスワード変更」，及び「閉じる」が表示される。ここで、「メモリ領域セレクト」が選択されると、再び上記メモリ領域セレクト画面２１を表示し、記録・再生対象とするパーティションの変更が可能になる。又は、「パスワード変更」が選択されると、上記Ｓ５のパスワード変更処理を行う。或いは「閉じる」が選択されると、再び上記Ｓ３の撮影モードに戻り、再び、スルー画画面２４を内蔵ＬＣＤ１２に表示する。
【００６１】
尚、当該画面２７において「メモリ領域セレクト」が選択されてメモリ領域セレクト画面２１を表示し、その後、記録・再生対象とするパーティションが変更されたときは、その変更直前に記録・再生対象として設定されていたパーティションに記録されているカメラパラメータ設定ファイルの記述内容が、その変更直前に当該デジタルカメラに設定されていたカメラパラメータに変更される。
【００６２】
図７は、上記Ｓ２乃至Ｓ４の処理内容を詳細に示すフローチャートである。
同図に示したように、電源がオフしているときにパワーボタンが押下されると、メモリ領域セレクト画面２１を表示し（Ｓ２１）、当該画面２１において、ユーザにより選択された項目が何れであるかを判定する（Ｓ２２）。
【００６３】
Ｓ２２において、「ユーザ１」，「ユーザ２」，「ユーザ３」の何れかが選択された場合には、Ｓ２３へ進み、「ユーザ１」が選択されたときはｎ＝１とし、「ユーザ２」が選択されたときはｎ＝２とし、「ユーザ３」が選択されたときはｎ＝３とする。続いて、パスワード入力画面２３を表示し（Ｓ２４）、パスワードとして４回のボタン操作を受け付ける（Ｓ２５）。続いて、記録媒体９の「パーティションｎ」からパスワードファイル（「ＰＡＳＳＷＯＲＤ」）を読み込み（Ｓ２６）、Ｓ２５で受け付けたパスワード（４回のボタン操作）と一致するか否かを判定し（Ｓ２７）、これが一致する場合には、「パーティションｎ」を記録・再生対象に設定する（Ｓ２８）。すなわち、「パーティションｎ」を、使用するパーティションとして設定する。
【００６４】
一方、Ｓ２２において「共用」が選択された場合、或いは、Ｓ２７の判定結果が不一致の場合には、ｎ＝４とし（Ｓ２９）、「パーティション４」を記録・再生対象に設定する（Ｓ２８）。すなわち、「パーティション４」を、使用するパーティションとして設定する。
【００６５】
Ｓ２８の後は、「パーティションｎ」からカメラパラメータ設定ファイル（「ＳＥＴＴＩＮＧ」）を読み込み（Ｓ３０）、その記述内容を当該デジタルカメラのカメラパラメータとして設定し（Ｓ３１）、本フローが終了する。
【００６６】
このように、図６及び図７を用いて説明したＳ２乃至Ｓ４の処理によれば、上記メモリ領域セレクト画面２１において選択された項目や、上記パスワード入力画面２３において入力されたパスワードの一致／不一致に応じて、記録・再生対象とするパーティションが設定されるようになる。
【００６７】
図８は、上記Ｓ５のパスワード変更処理を、内蔵ＬＣＤ１２に表示される画面を用いて詳細に説明する図である。
同図に示したように、スルー画画面２４（同図では２４ａ）が表示されている待機状態においてＯＫボタンが押下されると、撮影モード用メニュー画面２７を表示し、当該画面２７において「パスワード変更」が選択されると、現在の（変更前の）パスワードの入力を受け付ける第１のパスワード変更画面２８を内蔵ＬＣＤ１２に表示する。尚、当該画面２８におけるパスワードの入力方法は、上記パスワード入力画面２３における場合と同じである（後述の第２のパスワード変更画面についても同じ）。
【００６８】
但し、撮影モード用メニュー画面２７において、この時に記録・再生対象として設定されているパーティションが「共用」に係るものである場合には、パスワードファイルが使用されないので、「パスワード変更」を選択できないようになっている。
【００６９】
第１のパスワード変更画面２８において、現在のパスワードが入力されると、このパスワードと、この時に記録・再生対象として設定されているパーティションに記録されているパスワードファイルに記述されたパスワードとが一致するか否かを判定し、それが一致する場合には、新しい（変更後の）パスワードの入力を受け付ける第２のパスワード変更画面２９を内蔵ＬＣＤ１２に表示する。
【００７０】
当該画面２９において、新しいパスワードが入力されると、このパスワードを記述したパスワードファイルを新たに生成し、この時に記録・再生対象として設定されているパーティションに記録されているパスワードファイルを、この新たに生成されたパスワードファイルに置換し、それが終了すると、パスワード変更終了画面３０を内蔵ＬＣＤ１２に表示する。
【００７１】
一方、上記第１のパスワード変更画面２８において入力されたパスワードが不一致の場合には、パスワード不一致画面３１を表示する。
そして、上記パスワード変更画面３０又は上記パスワード不一致画面３１において、ＯＫボタンが押下されると、再び、撮影モード用メニュー画面２７を内蔵ＬＣＤ１２に表示する。
【００７２】
図９は、上記Ｓ５の処理内容を詳細に示すフローチャートである。
同図に示したように、記録・再生対象として設定されているパーティションが「共用」以外の場合に、撮影モード用メニュー画面２７において「パスワード変更」が選択されると、第１のパスワード変更画面２８を表示し（Ｓ４１）、現在のパスワードとしての４回のボタン操作を受け付ける（Ｓ４２）。続いて、記録・再生対象として設定されている（選択中の）パーティションからパスワードファイル（「ＰＡＳＳＷＯＲＤ」）を読み込み（Ｓ４３）、Ｓ４２で受け付けたパスワードと一致するか否かを判定する（Ｓ４４）。
【００７３】
Ｓ４４の判定の結果、パスワードが一致する場合には、第２のパスワード変更画面２９を表示し（Ｓ４５）、新しいパスワードとしての４回のボタン操作を受け付ける（Ｓ４６）。続いて、Ｓ４６で受け付けたパスワードを記述したパスワードファイル（「ＰＡＳＳＷＯＲＤ」）を新たに生成し、記録・再生対象として設定されている（選択中）のパーティションに記録されているパスワードファイルを、この新たに生成したパスワードファイルに置換する（Ｓ４７）。それが終了すると、「パスワードを変更しました」のパスワード変更終了画面３０を表示する（Ｓ４８）。
【００７４】
一方、Ｓ４４の判定の結果、パスワードが不一致の場合には、「パスワードが間違っています」のパスワード不一致画面３１を表示する（Ｓ４９）。
Ｓ４８又はＳ４９の後は、ＯＫボタンが押下されるまで待機し（Ｓ５０）、本フローが終了する。
【００７５】
このように、図８及び図９を用いて説明したＳ５の処理によれば、上記第１のパスワード変更画面２８において入力されたパスワードが一致する場合に限り、パスワードの変更が可能になる。
【００７６】
図１０は、上記Ｓ９のパーティション間画像ファイルコピー処理を、内蔵ＬＣＤ１２に表示される画面を用いて詳細に説明する図である。
同図に示したように、再生モードにおいてＯＫボタンが押下されると、上記Ｓ７の処理を開始し、再生モード用メニュー画面３３を内蔵ＬＣＤ１２に表示する。ここでは、画像３２が再生されているときにＯＫボタンが押下されたとする。尚、再生モードにおいて再生される画像には、その画像のファイル名と、記録・再生対象として設定されているパーティションとしての割り当て先とが併せて表示される。画像３２の場合には、ファイル名として「１００ＯＬＹＰ／Ｐ１０１０００１．ＪＰＧ」と、記録・再生対象として設定されているパーティションとして「ユーザ１」とが併せて表示されている。
【００７７】
再生モード用メニュー画面３３には、選択可能な項目として、「メモリ領域セレクト」，「パスワード変更」，「コピー」，及び「閉じる」が表示される。ここで、「メモリ領域セレクト」が選択されると、図６を用いて説明したものと同様に、メモリ領域セレクト画面を内蔵ＬＣＤ１２に表示し、撮影モードに戻らなくても記録・再生対象とするパーティションの変更が可能になる。又は、「パスワード変更」が選択されると、図６を用いて説明したものと同様に、パスワード変更画面を内蔵ＬＣＤ１２に表示し、撮影モードに戻らなくてもパスワードの変更が可能になる。或いは、「コピー」が選択されると、当該画面３３が表示される前に再生されていた画像３２のコピー先パーティションを選択可能にするコピー先メモリ領域選択画面（コピー先パーティション選択画面）３４を内蔵ＬＣＤ１２に表示する。若しくは、「閉じる」が選択されると、再び上記Ｓ６の再生モードに戻り、再び、前に再生されていた画像３２を再生する。
【００７８】
コピー先メモリ領域選択画面３４には、選択可能なコピー先パーティションとして、その割り当て先、すなわち「ユーザ１」，「ユーザ２」，「ユーザ３」，及び「共用」が表示される。但し、当該画面３４では、現在記録・再生対象として設定されているパーティションの選択はできないものとする。
【００７９】
当該画面３４において、「ユーザ１」，「ユーザ２」，「ユーザ３」の何れかが選択されると、パスワード入力画面２３を内蔵ＬＣＤ１２に表示し、その選択されたコピー先とするパーティションに係るパスワードとしての４回のボタン操作を受け付ける。そして、受け付けたパスワードと、コピー先メモリ領域選択画面３４において選択された項目に係るパーティションに記録されているパスワードファイルに記述されたパスワードとが一致するか否かを判定し、それが一致する場合には、画像３２に係る画像ファイルを、コピー先メモリ領域選択画面３４において選択された項目に係るパーティションへコピーし、それが終了すると、ファイルコピー終了画面３５を内蔵ＬＣＤ１２に表示する。一方、パスワード入力画面２３において入力されたパスワードが不一致の場合には、パスワード不一致画面３１を内蔵ＬＣＤに表示する。
【００８０】
また、コピー先メモリ領域選択画面３４において、「共用」が選択された場合には、画像３２に係る画像ファイルを、「共用」のパーティション９ｅへコピーし、それが終了すると、ファイルコピー終了画面３５を内蔵ＬＣＤ１２に表示する。
【００８１】
そして、上記ファイルコピー完了画面３５又は上記パスワード不一致画面３１において、ＯＫボタンが押下されると、再び上記Ｓ６の再生モードに戻り、再び、前に再生されていた画像３２を再生する。
【００８２】
図１１は、上記Ｓ９の処理内容を詳細に示すフローチャートである。
尚、本フローでは、現在記録・再生対象として設定されているパーティションを「パーティションｎ」とし、再生モード用メニュー画面３３が表示される前に再生されていた画像のファイル名を「ｆｉｌｅ」とする。
【００８３】
同図に示したように、再生モードにおいてＯＫボタンが押下されて表示した再生モード用メニュー画面３３において「コピー」が選択されると、コピー先メモリ領域選択画面３４を内蔵ＬＣＤ１２に表示し（Ｓ５１）、当該画面３４において、ユーザにより選択された項目が何れであるかを判定する（Ｓ５２）。
【００８４】
Ｓ５２において、「ユーザ１」，「ユーザ２」，「ユーザ３」の何れかが選択された場合には、Ｓ５３へ進み、「ユーザ１」が選択されたときはｍ＝１とし、「ユーザ２」が選択されたときはｍ＝２とし、「ユーザ３」が選択されたときはｍ＝３とする。続いて、パスワード入力画面２３を表示し（Ｓ５４）、コピー先とするパーティションに係るパスワードとしての４回のボタン操作を受け付ける（Ｓ５５）。続いて、記録媒体９の「パーティションｍ」からパスワードファイル（「ＰＡＳＳＷＯＲＤ」）を読み込み（Ｓ５６）、Ｓ５５で受け付けたパスワードと一致するか否かを判定し（Ｓ５７）、それが一致する場合には、「パーティションｎ」の、ファイル名を「ｆｉｌｅ」とする画像ファイルを、「パーティションｍ」へコピーし（Ｓ５８）、それが終了すると、「ファイルをコピーしました」のファイルコピー終了画面３５を内蔵ＬＣＤ１２に表示する（Ｓ５９）。
【００８５】
尚、Ｓ５８の処理により、コピー先の「パーティションｍ」に生成されるファイル名「ｆｉｌｅ」の画像ファイルは、上記ＤＣＦに準拠して生成されるものであり、例えば、「パーティションｍ」に既に同名の画像ファイルが存在していた場合には、ＤＣＦに準拠して、別名のファイル名で生成されることになる。
【００８６】
一方、Ｓ５７の判定において、パスワードが不一致の場合には、「パスワードが間違っています」のパスワード不一致画面３１を表示する（Ｓ６０）。
また、Ｓ５２において、選択された項目が「共用」であった場合には、ｍ＝４として（Ｓ６１）Ｓ５８へ進み、上記Ｓ５８及びＳ５９の処理を行う。
【００８７】
Ｓ５９又はＳ６０の後は、ＯＫボタンが押下されるまで待機し（Ｓ６２）、本フローが終了する。
このように、図１０及び図１１を用いて説明したＳ９の処理によれば、上記コピー先メモリ領域選択画面３４において選択された項目や、上記パスワード入力画面２３において入力されたコピー先のパーティションに係るパスワードが一致することに応じて、自己に割り付けられているパーティションに記録されている画像ファイルを、他のパーティションへコピーすることが可能になる。
【００８８】
尚、同様にして、自己に割り付けられているパーティションに記録されている画像ファイルを、他のパーティションへ移動するようにすることも可能である。
図１２は、上記Ｓ１１のＵＳＢ通信モードにおける処理の一例を説明する図であり、当該デジタルカメラの外部Ｉ／Ｆ１６とＰＣとがＵＳＢケーブルを介して接続され、ＰＣが当該デジタルカメラの記録媒体９に記録されている画像データを読み出す際の処理を示したものである。
【００８９】
但し、同図の例では、ＰＣが接続されたときに当該デジタルカメラにおいて記録・再生対象として設定されているパーティションを、パーティション９ｃ（「パーティション２」）とする。
【００９０】
この場合、ＵＳＢケーブルによって当該デジタルカメラと接続されたＰＣは、単一のパーティション、すなわち記録媒体９において記録・再生対象として設定されているパーティション９ｃにしかアクセスできない。具体的には、同図に示したように、例えば、ＰＣが当該デジタルカメラに「セクタｎからｍセクタ分Ｒｅａｄ」のコマンドを送信すると（Ｓ７１）、当該デジタルカメラのシスコン５は、記録・再生対象として設定されているパーティション９ｃの先頭セクタからｎセクタ目のセクタからｍセクタ分のデータを読み出し（Ｓ７２）、このｍセクタ分のデータをＰＣに送信するものである（Ｓ７３）。このようなＳ７１乃至Ｓ７３の処理を基本にして、ＰＣは、単一のパーティションにおけるＦＡＴ及びディレクトリエントリを解析し、所望のファイルを取得することになる。従って、ＰＣは、記録・再生対象として設定されているパーティション以外のパーティション（この場合は「パーティション１」，「パーティション３」，「パーティション４」）に対してはアクセスできないことになる。
【００９１】
このように、図１２を用いて説明したＳ１１の処理によれば、ＰＣは、当該デジタルカメラにおいて記録・再生対象として設定されているパーティションにしかアクセスできないので、各ユーザは、ＰＣを利用しても、他のユーザに割り当てられているパーティションに記録されている画像データに対しアクセスできなくなる。
【００９２】
以上、本実施例によれば、記録媒体９を複数人で共用する場合に、記録媒体９に記録された自己の画像データを他のユーザがアクセスできないようにすることができる。従って、自己の画像データが他のユーザによって再生，消去，及びコピー等されるのを防止することができる。
【００９３】
尚、本実施例に係るデジタルカメラでは、ボタン操作の組み合わせをパスワードとして用いたが、例えば携帯電話機のように、ボタンに一つ又は複数の文字や記号（以下「文字等」という）を割り付け、そのボタンの押下により入力された文字等をパスワードとして用いることも可能である。この場合は、入力された文字等と、パスワードファイルに記述されている文字等とが一致するか否かを判定することにより、パーティションの使用を可能にするか否かを判定する。また、パーティションの使用を可能にするか否かの判定を、例えば指紋照合等による認証技術を利用して、パスワード以外の方法で行うことも可能である。
【００９４】
また、本実施例に係るデジタルカメラでは、記録媒体９を内蔵型としたが、これを着脱可能な構成とすることも可能である。但し、この場合には、記録媒体９が当該デジタルカメラから取り外され、外部の読み取り装置に装着された場合には、記録媒体９の各パーティションへのアクセスが可能になってしまうことに留意する必要がある。
【００９５】
以上、本発明について詳細に説明したが、本発明は上記実施形態に限定されず、本発明の要旨を逸脱しない範囲において、各種の改良及び変更を行っても良いのはもちろんである。
【図面の簡単な説明】
【００９６】
【図１】本発明の一実施例に係る画像記録装置として説明する、デジタルカメラの主要構成を示す図である。
【図２】記録媒体のメモリ構造の一例を示す図である。
【図３】パスワードファイルの記述内容の一例を示す図である。
【図４】カメラパラメータ設定ファイルの記述内容の一例を示す図である。
【図５】デジタルカメラの動作の一例を示すフローチャートである。
【図６】Ｓ２乃至Ｓ４の処理を、内蔵ＬＣＤに表示される画面を用いて詳細に説明する図である。
【図７】Ｓ２乃至Ｓ４の処理内容を詳細に示すフローチャートである。
【図８】Ｓ５のパスワード変更処理を、内蔵ＬＣＤに表示される画面を用いて詳細に説明する図である。
【図９】Ｓ５の処理内容を詳細に示すフローチャートである。
【図１０】Ｓ９のパーティション間画像ファイルコピー処理を、内蔵ＬＣＤに表示される画面を用いて詳細に説明する図である。
【図１１】Ｓ９の処理内容を詳細に示すフローチャートである。
【図１２】Ｓ１１のＵＳＢ通信モードにおける処理の一例を説明する図である。
【符号の説明】
【００９７】
１      撮影レンズ系
２      撮像素子
３      撮像回路
４      Ａ／Ｄ部
５      シスコン
６      画像処理部
９      着脱メモリ
１０    ＶＲＡＭ
１１    ＬＣＤドライバ
１２    内蔵ＬＣＤ
１３    内蔵ＲＡＭ
１４    内蔵ＲＯＭ
１５    操作部
１６    外部Ｉ／Ｆ
２１    メモリ領域セレクト画面
２２    カーソル
２３    パスワード入力画面
２４    スルー画画面
２５    フラッシュ強制発光マーク
２７    撮影モード用メニュー画面
２８    第１のパスワード変更画面
２９    第２のパスワード変更画面
３０    パスワード変更終了画面
３１    パスワード不一致画面
３２    画像
３３    再生モード用メニュー画面
３４    コピー先メモリ領域選択画面
３５    コピー終了画面
【図１】
2006221288.tif 000003
【図２】
2006221288.tif 000004
【図３】
2006221288.tif 000005
【図４】
2006221288.tif 000006
【図５】
2006221288.tif 000007
【図６】
2006221288.tif 000008
【図７】
2006221288.tif 000009
【図８】
2006221288.tif 000010
【図９】
2006221288.tif 000011
【図１０】
2006221288.tif 000012
【図１１】
2006221288.tif 000013
【図１２】
2006221288.tif 000014